(57)【要約】【課題】自立が可能で、かつ様々な姿態を一定時間維持できる技術的構造を有すると共に、軽量・コスト安価な大型の人形を提供することである。【解決手段】足首部１と膝部１５と脚付け根部３１と、足首部１と膝部１５との間に掛け渡される脛用補強連結杆２９と、膝部１５と脚付け根部３１との間に掛け渡される太腿用補強連結杆４２からなる左右の脚部骨格Ａと、該左右の脚部骨格Ａに連結される腰部骨格Ｂと、該腰部骨格Ｂに連結される胴部骨格Ｃと、該胴部骨格Ｃと連結される左右の腕部骨格Ｄと、首部骨格Ｅとで構成されている人形骨格群と、夫々の骨格外周に備えられる左右の脚部外皮Ｆと、腰部外皮Ｇと、胴部外皮Ｈと、腕部外皮Ｊと、頭部外皮Ｋとで構成されているソフトビニル製の人形外皮群で構成されている。【選択図】  図１
2004222935.tif 000002
【特許請求の範囲】
【請求項１】
少なくとも左右の脚部骨格と、該左右の脚部骨格に連結される腰部骨格と、該腰部骨格に連結される胴部骨格と、該胴部骨格と連結される左右の腕部骨格で一連の人形骨格群を構成し、
左右の脚部骨格は、足部外皮の開口縁が嵌着される足部外皮嵌着部と、下脚外皮の下端開口縁が嵌着される下脚外皮下端嵌着部とを有し、該両者の連結部にて回動可能な構造を有する足首部と、
下脚外皮の上端開口縁が嵌着される下脚外皮上端嵌着部と、上脚外皮の下端開口縁が嵌着される上脚外皮下端嵌着部とを有し、両者の連結部にて回動可能な構造を有する膝部と、
上記足首部の下脚外皮下端嵌着部と膝部の下脚外皮上端嵌着部との間にわたって嵌脱自在に掛け渡される脛用補強連結杆と、
上脚外皮の上端開口縁が嵌着される上脚外皮上端嵌着部と、腰部骨格の脚付け根部側連結部を連結する腰部骨格連結部とを有する脚付け根部と、
該脚付け根部の上脚外皮上端嵌着部と膝部の上脚外皮下端嵌着部との間にわたって嵌脱自在に掛け渡される太腿用補強連結杆とで構成され、
腰部骨格は、少なくとも、左右の脚付け根部の腰部骨格連結部と回動可能に連結する脚付け根部側連結部と、胴部骨格の下端側と連結する胴部下端骨格連結部とを備えて構成され、
胴部骨格は、少なくとも、腰部骨格の上端側と連結する腰部骨格連結部と、左右の腕部骨格と夫々連結する腕部骨格連結部とを備えて構成され、
左右の腕部骨格は、少なくとも、前記胴部骨格の腕部骨格連結部と連結される胴部上端骨格連結部と、上腕外皮の上端開口縁が嵌着される上腕外皮上端嵌着部とを備えてなる肩部と、
上腕外皮の下端開口縁が嵌着される上腕外皮下端嵌着部と、下腕外皮の上端開口縁が嵌着される下腕外皮上端嵌着部とを有し、両者の連結部にて回動可能な構造を有する肘部と、
下腕外皮の下端開口縁が嵌着される下腕外皮下端嵌着部と、手部外皮の開口縁が嵌着される手部外皮嵌着部とを有し、両者の連結部にて回動可能な構造を有する手首部とを備えて構成されていることを特徴とするソフトビニル製大型可動人形の骨格構造。
【請求項２】
足首部の足部外皮嵌着部には、足部外皮の開口縁が嵌着される嵌合凹部が備えられ、下脚外皮下端嵌着部には、下脚外皮の下端開口縁が嵌着される嵌合凹部が備えられ、
膝部の下脚外皮上端嵌着部には、下脚外皮の上端開口縁が嵌着される嵌合凹部が備えられ、上脚外皮下端嵌着部には、上脚外皮の下端開口縁が嵌着される嵌合凹部が備えられ、
脚付け根部の上脚外皮上端嵌着部には、上脚外皮の上端開口縁が嵌着される嵌合凹部が備えられ、
肩部の上腕外皮上端嵌着部には、上腕外皮の上端開口縁が嵌着される嵌合凹部が備えられ、
肘部の上腕外皮下端嵌着部には、上腕外皮の下端開口縁が嵌着される嵌合凹部が備えられ、下腕外皮上端嵌着部には、下腕外皮の上端開口縁が嵌着される嵌合凹部が備えられ、
手首部の下腕外皮下端嵌着部には、下腕外皮の下端開口縁が嵌着される嵌合凹部が備えられ、手部外皮嵌着部には、手部外皮の開口縁が嵌着される嵌合凹部が備えられていることを特徴とする請求項１に記載のソフトビニル製大型可動人形の骨格構造。
【請求項３】
足首部は、足部外皮嵌着部の底面に、足部外皮の指先方向へと延びる足底部が一体的に備えられていることを特徴とする請求項１又は２のいずれかに記載のソフトビニル製大型可動人形の骨格構造。
【請求項４】
脛用補強連結杆は、所望長さの棒状で、その下端側を足首部の下脚外皮下端嵌着部の嵌合穴に差込嵌着させると共に、その上端側を膝部の下脚外皮上端嵌着部の嵌合穴に差込嵌着させて嵌脱自在に掛け渡され、
太腿用補強連結杆は、所望長さの棒状で、その上端側を脚付け根部の上脚外皮上端嵌着部の嵌合穴に差込嵌着させると共に、その下側を膝部の上脚外皮下端嵌着部の嵌合穴に差込嵌着させて嵌脱自在に掛け渡されることを特徴とする請求項１乃至３のいずれかに記載のソフトビニル製大型可動人形の骨格構造。
【請求項５】
肩部の上腕外皮上端嵌着部と肘部の上腕外皮下端嵌着部との間にわたって、所望長さの上腕用補強連結杆が嵌脱自在に掛け渡され、
肘部と手首部との間にわたって、所望長さの下腕用補強連結杆が嵌脱自在に掛け渡されていることを特徴とする請求項１乃至４のいずれかに記載のソフトビニル製大型可動人形の骨格構造。
【請求項６】
胴部骨格の腰部骨格連結部と対峙する側に首部骨格を着脱可能に備え、該首部骨格は、首部外皮の開口が挿着される首部外皮挿着部と、頭部外皮の開口縁が嵌着される頭部外皮嵌着部とで構成され、
この頭部外皮嵌着部は、首部外皮挿着部上端に位置すると共に、上下方向に揺動自在に備えられ、かつ常時首部外皮挿着部上端方向に引っ張り力が作用する構成としたことを特徴とする請求項１乃至５のいずれかに記載のソフトビニル製大型可動人形の骨格構造。
【請求項７】
左右の脚部骨格と、該左右の脚部骨格に連結される腰部骨格と、該腰部骨格に連結される胴部骨格と、該胴部骨格と連結される左右の腕部骨格と、該胴部骨格の腰部骨格連結部と対峙する側に着脱可能に備えられる首部骨格とで構成される一連の人形骨格群と、
上記夫々の骨格外周に備えられる脚部外皮と、腰部外皮と、胴部外皮と、腕部外皮と、頭部外皮とで構成されるソフトビニル製の人形外皮群とで構成され、
左右の脚部骨格は、足部外皮の開口縁が嵌着される足部外皮嵌着部と、下脚外皮の下端開口縁が嵌着される下脚外皮下端嵌着部とを有し、該両者の連結部にて回動可能な構造を有する足首部と、下脚外皮の上端開口縁が嵌着される下脚外皮上端嵌着部と、上脚外皮の下端開口縁が嵌着される上脚外皮下端嵌着部とを有し、両者の連結部にて回動可能な構造を有する膝部と、該足首部の下脚外皮下端嵌着部と膝部の下脚外皮上端嵌着部との間にわたって嵌脱自在に掛け渡される脛用補強連結杆と、上脚外皮の上端開口縁が嵌着される上脚外皮上端嵌着部と、腰部骨格の脚付け根部側連結部を連結する腰部骨格連結部とを有する脚付け根部と、該脚付け根部の上脚外皮上端嵌着部と膝部の上脚外皮下端嵌着部との間にわたって嵌脱自在に掛け渡される太腿用補強連結杆とで構成され、
腰部骨格は、少なくとも、左右の脚付け根部の腰部骨格連結部と回動可能に連結する脚付け根部側連結部と、胴部骨格の下端側と連結する胴部下端骨格連結部とを備えて構成され、
胴部骨格は、少なくとも、腰部骨格の上端側と連結する腰部骨格連結部と、左右の腕部骨格と夫々連結する腕部骨格連結部とを備えて構成され、
左右の腕部骨格は、少なくとも、前記胴部骨格の腕部骨格連結部と連結される胴部上端骨格連結部と、上腕外皮の上端開口縁が嵌着される上腕外皮上端嵌着部とを備えてなる肩部と、上腕外皮の下端開口縁が嵌着される上腕外皮下端嵌着部と、下腕外皮の上端開口縁が嵌着される下腕外皮上端嵌着部とを有し、両者の連結部にて回動可能な構造を有する肘部と、下腕外皮の下端開口縁が嵌着される下腕外皮下端嵌着部と、手部外皮の開口縁が嵌着される手部外皮嵌着部とを有し、両者の連結部にて回動可能な構造を有する手首部とを備えて構成され、
首部骨格は、首部外皮の開口が挿着される首部外皮挿着部と、頭部外皮の開口縁が嵌着される頭部外皮嵌着部とで構成されて、胴部骨格の腰部骨格連結部と対峙する側に着脱可能に備えられ、この頭部外皮嵌着部は、首部外皮挿着部上端に位置すると共に、上下方向に揺動自在に備えられ、かつ常時首部外皮挿着部上端方向に引っ張り力が作用する構成とされ、
左右の脚部外皮は、足部外皮と下脚外皮と上脚外皮からなり、
足部外皮は、上記足首部の足部外皮嵌着部に嵌着される開口縁を、上端に設けた開口の径方向内方に突設した全体中空の足形状に形成され、
下脚外皮は、上記足首部の下脚外皮下端嵌着部に嵌着される開口縁を、下端に設けた開口の径方向内方に突設すると共に、上記膝部の下脚外皮上端嵌着部に嵌着される開口縁を、上端に設けた開口の径方向内方に突設してなる全体中空筒状に形成され、足首部の下脚外皮下端嵌着部と膝部の下脚外皮上端嵌着部とにわたって掛け渡される脛用補強連結杆を内装し、
上脚外皮は、上記膝部の上脚外皮下端嵌着部に嵌着される開口縁を、下端に設けた開口の径方向内方に突設すると共に、上記脚付け根部の上脚外皮上端嵌着部に嵌着される開口縁を、上端に設けた開口の径方向内方に突設してなる全体中空筒状に形成され、膝部の上脚外皮下端嵌着部と脚付け根部の上脚外皮上端嵌着部とにわたって掛け渡される太腿用補強連結杆を内装し、
腰部外皮は、腰部骨格を内装する空間を有すると共に、上端に胴部外皮下端を挿入する開口を有し、かつ股間位置には、左右の脚付け根部を連結する連結空間を有する全体中空の腰部形状に形成され、
胴部外皮は、胴部骨格を内装する空間を有すると共に、上端に首部骨格の首部外皮挿着部を挿入する開口を有し、かつ両肩位置には左右の腕部骨格を連結する連結空間を有する全体中空の胴部形状に形成され、
左右の腕部外皮は、該左右の腕部骨格を被覆して備えられる上腕外皮，下腕外皮及び手部外皮とからなり、
上腕外皮は、上記肩部の上腕外皮上端嵌着部に嵌着される開口縁を、上端に設けた開口の径方向内方に突設すると共に、上記肘部の上腕外皮下端嵌着部に嵌着される開口縁を、下端に設けた開口の径方向に突設してなる全体中空筒状に形成され、
下腕外皮は、上記肘部の下腕外皮上端嵌着部に嵌着される開口縁を、上端に設けた開口の径方向内方に突設すると共に、上記手首部の下腕外皮下端嵌着部に嵌着される開口縁を、下端に設けた開口の径方向に突設してなる全体中空状に形成され、
手部外皮は、上記手首部の手部外皮嵌着部に嵌着される開口縁を備えた全体中空の手形状に形成され、
頭部外皮は、首部骨格の頭部外皮嵌着部に嵌着する開口縁を備えた全体頭部形状に形成されていることを特徴とするソフトビニル製大型可動人形。
【発明の詳細な説明】
【０００１】
【発明の属する技術分野】
本発明は、腕や脚などの身体の各関節箇所にて屈曲作動できる大型の可動人形用の骨格構造と、その骨格構造を有する大型の可動人形に関する。
本明細書において、「脚部」とは、足部の爪先から上脚の太腿付け根位置あたりまでをいい、「足部」とは、爪先から踝あたりまでをいい、「下脚」とは、その踝あたりから膝下あたりまでをいい、「上脚」とは、膝上あたりから太腿の付け根位置あたりまでをいい、「腰部」とは、その太腿付け根位置あたりから腰のラインあたりまでをいい、「胴部」とは、その腰のラインあたりから首部あたりまで、かつ左右の腕部付け根位置あたりまでをいい、「上腕」とは、その腕部付け根位置から肘上あたりまでをいい、「下腕」とは、肘下あたりから手首あたりまでをいい、「手部」とは、その手首あたりから指先までをいうものとする。また、本明細書において「大型」とは、例えば全高６０ｃｍ程度以上の人形をいうが、特に限定はされず、一般的な３０ｃｍ程度の人形よりも大きい人形の全てをいう。
【０００２】
【従来技術】
腕・脚・腰・頭など身体の多数の関節箇所にて夫々可動可能に連結されている人形（フィギュアともいう）が知られている。
特に、全高３０ｃｍ前後の小型の人形が需要者に好まれ、多数市場へ提供されているが、昨今、全高が大体５０〜６０ｃｍ以上の大型の人形に対する需要者要求が高まっている。
このような大型の人形として、現在、例えば次の構成からなるものが知られている。
▲１▼「第一の従来技術」
図１３に示すように、手１００や脚２００などの関節部分１０１，２０１が球体になっていて、夫々の関節同士をゴム紐３００で引っ張って連結している、いわゆるビスクドールと呼ばれる白磁器製・粘土製（焼成・非焼成）の人形が知られている（例えば、非特許文献１参照。）。
▲２▼「第二の従来技術」
いわゆるマネキン人形といわれる等身大の人形にも、昨今は関節部分で可動可能に構成されているものが提供されている。例えばその一例を挙げると、手・足・頭部などの各部品の材質はＦＲＰ製で、夫々は内部に通した針金などで連結されている人形が知られている。
【０００３】
【非特許文献１】
“Ｄｏｌｌｈｏｕｓｅ  Ｎｏａｈ’ｓ  ｇａｌｌｅｒｙ、Ｈｏｗ  ｔｏ  Ｍａｋｅ  Ｎｏａｈ’ｓ  Ｄｏｌｌ（ノア・ドールのつくりかた）、はじめに  球体関節人形とは  Ｆｉｇ０１”、［ｏｎｌｉｎｅ］、［平成１５年１月８日検索］、インターネット、
＜ＵＲＬ：ｈｔｔｐ：／／ｗｗｗ２ｄ．ｂｉｇｌｏｂｅ．ｎｅ．ｊｐ／￣ｄｈｎｏａｈ／ｉｎｄｅｘ＿ｊ．ｈｔｍ＞
【０００４】
【発明が解決しようとする課題】
▲１▼「第一の従来技術の問題点」
図１３に示す人形（ビスクドール）の場合、上述のような人形構造であるため、人形自身でその全体を支える構造はなく人形自身で立つことはできなかった。そのため、面白みに欠け、様々な動きのある姿態を人形そのものの構造により求める傾向のある需要者ニーズに十分対応しえていなかった。
また、上述した手足などの連結構造により、夫々がぶらついているものであるため、小型の人形（フィギュア）のように各屈曲させた状態を一定状態のまま保持させておくことはできなかった。そのため面白みに欠け、人間的な動きを人形に求める傾向のある需要者ニーズに十分対応しえていなかった。
また、全体重量がかなりあり、重いばかりか、落とした際に欠け易いという問題もあった。また、この種の人形は、量産性も無い。
▲２▼「第二の従来技術の問題点」
この人形の場合、所望関節箇所の内部針金を屈曲させることで、一定状態のまま保持させる機能は有している。
しかし、この人形にあっても内部の骨格構造で人形全体を支える構造ではなく、その人形本体そのもので支えるものであるため、材質的にも全体重量がかなりあり、重いばかりか、落とした際に欠け易いという第一従来技術と同様の問題点を有している。
また、量産ができないためコスト高となり、価格的にも安価なものを求める需要者の要求と反する結果となる。
さらに、この種の人形は、元々が衣服などの展示のために使用されるものであり、需要者が様々なポーズをその都度取らせて楽しむという主旨の下で製作されているものではないため、頻繁に各箇所で屈曲作動を繰り返すと、その部分の針金が折損してしまうこともある。
本発明は、従来技術の有するこのような問題点に鑑みなされたものであり、その目的とするところは、上半身から下半身まで連続した一連の骨格群を有し、所望箇所で屈曲動作ができると共に、自立が可能で、かつ様々な姿態を一定時間維持できる技術的構造を有すると共に、軽量・コスト安価な大型の人形を提供することである。
【０００５】
【課題を解決するための手段】
上記課題を達成するために本発明がなした技術的手段は、少なくとも左右の脚部骨格と、該左右の脚部骨格に連結される腰部骨格と、該腰部骨格に連結される胴部骨格と、該胴部骨格と連結される左右の腕部骨格で一連の人形骨格群を構成し、
左右の脚部骨格は、足部外皮の開口縁が嵌着される足部外皮嵌着部と、下脚外皮の下端開口縁が嵌着される下脚外皮下端嵌着部とを有し、該両者の連結部にて回動可能な構造を有する足首部と、
下脚外皮の上端開口縁が嵌着される下脚外皮上端嵌着部と、上脚外皮の下端開口縁が嵌着される上脚外皮下端嵌着部とを有し、両者の連結部にて回動可能な構造を有する膝部と、
上記足首部の下脚外皮下端嵌着部と膝部の下脚外皮上端嵌着部との間にわたって嵌脱自在に掛け渡される脛用補強連結杆と、
上脚外皮の上端開口縁が嵌着される上脚外皮上端嵌着部と、腰部骨格の脚付け根部側連結部を連結する腰部骨格連結部とを有する脚付け根部と、
該脚付け根部の上脚外皮上端嵌着部と膝部の上脚外皮下端嵌着部との間にわたって嵌脱自在に掛け渡される太腿用補強連結杆とで構成され、
腰部骨格は、少なくとも、左右の脚付け根部の腰部骨格連結部と回動可能に連結する脚付け根部側連結部と、胴部骨格の下端側と連結する胴部下端骨格連結部とを備えて構成され、
胴部骨格は、少なくとも、腰部骨格の上端側と連結する腰部骨格連結部と、左右の腕部骨格と夫々連結する腕部骨格連結部とを備えて構成され、
左右の腕部骨格は、少なくとも、前記胴部骨格の腕部骨格連結部と連結される胴部上端骨格連結部と、上腕外皮の上端開口縁が嵌着される上腕外皮上端嵌着部とを備えてなる肩部と、
上腕外皮の下端開口縁が嵌着される上腕外皮下端嵌着部と、下腕外皮の上端開口縁が嵌着される下腕外皮上端嵌着部とを有し、両者の連結部にて回動可能な構造を有する肘部と、
下腕外皮の下端開口縁が嵌着される下腕外皮下端嵌着部と、手部外皮の開口縁が嵌着される手部外皮嵌着部とを有し、両者の連結部にて回動可能な構造を有する手首部とを備えて構成されているソフトビニル製大型可動人形の骨格構造とした。
【０００６】
上記足首部の足部外皮嵌着部には、足部外皮の開口縁が嵌着される嵌合凹部が備えられ、下脚外皮下端嵌着部には、下脚外皮の下端開口縁が嵌着される嵌合凹部が備えられ、膝部の下脚外皮上端嵌着部には、下脚外皮の上端開口縁が嵌着される嵌合凹部が備えられ、上脚外皮下端嵌着部には、上脚外皮の下端開口縁が嵌着される嵌合凹部が備えられ、脚付け根部の上脚外皮上端嵌着部には、上脚外皮の上端開口縁が嵌着される嵌合凹部が備えられ、肩部の上腕外皮上端嵌着部には、上腕外皮の上端開口縁が嵌着される嵌合凹部が備えられ、肘部の上腕外皮下端嵌着部には、上腕外皮の下端開口縁が嵌着される嵌合凹部が備えられ、下腕外皮上端嵌着部には、下腕外皮の上端開口縁が嵌着される嵌合凹部が備えられ、手首部の下腕外皮下端嵌着部には、下腕外皮の下端開口縁が嵌着される嵌合凹部が備えられ、手部外皮嵌着部には、手部外皮の開口縁が嵌着される嵌合凹部が備えられている骨格構造とすることもできる。
また、上記足首部は、足部外皮嵌着部の底面に、足部外皮の指先方向へと延びる足底部を一体的に備えるものとしてもよい。
上記脛用補強連結杆は、所望長さの棒状で、その下端側を足首部の下脚外皮下端嵌着部の嵌合穴に差込嵌着させると共に、その上端側を膝部の下脚外皮上端嵌着部の嵌合穴に差込嵌着させて嵌脱自在に掛け渡され、太腿用補強連結杆は、所望長さの棒状で、その上端側を脚付け根部の上脚外皮上端嵌着部の嵌合穴に差込嵌着させると共に、その下側を膝部の上脚外皮下端嵌着部の嵌合穴に差込嵌着させて嵌脱自在に掛け渡される骨格構造とすることもできる。
上記肩部の上腕外皮上端嵌着部と肘部の上腕外皮下端嵌着部との間にわたって、所望長さの上腕用補強連結杆が嵌脱自在に掛け渡され、肘部と手首部との間にわたって、所望長さの下腕用補強連結杆が嵌脱自在に掛け渡されている骨格構造としてもよい。
上記骨格構造には、胴部骨格の腰部骨格連結部と対峙する側に首部骨格を着脱可能に備え、該首部骨格は、首部外皮の開口が挿着される首部外皮挿着部と、頭部外皮の開口縁が嵌着される頭部外皮嵌着部とで構成され、この頭部外皮嵌着部は、首部外皮挿着部上端に位置すると共に、上下方向に揺動自在に備えられ、かつ常時首部外皮挿着部上端方向に引っ張り力が作用する構成としてもよい。
【０００７】
そして、左右の脚部骨格と、該左右の脚部骨格に連結される腰部骨格と、該腰部骨格に連結される胴部骨格と、該胴部骨格と連結される左右の腕部骨格と、該胴部骨格の腰部骨格連結部と対峙する側に着脱可能に備えられる首部骨格とで構成される一連の人形骨格群と、上記夫々の骨格外周に備えられる脚部外皮と、腰部外皮と、胴部外皮と、腕部外皮と、頭部外皮とで構成されるソフトビニル製の人形外皮群とで構成され、左右の脚部骨格は、足部外皮の開口縁が嵌着される足部外皮嵌着部と、下脚外皮の下端開口縁が嵌着される下脚外皮下端嵌着部とを有し、該両者の連結部にて回動可能な構造を有する足首部と、下脚外皮の上端開口縁が嵌着される下脚外皮上端嵌着部と、上脚外皮の下端開口縁が嵌着される上脚外皮下端嵌着部とを有し、両者の連結部にて回動可能な構造を有する膝部と、該足首部の下脚外皮下端嵌着部と膝部の下脚外皮上端嵌着部との間にわたって嵌脱自在に掛け渡される脛用補強連結杆と、上脚外皮の上端開口縁が嵌着される上脚外皮上端嵌着部と、腰部骨格の脚付け根部側連結部を連結する腰部骨格連結部とを有する脚付け根部と、該脚付け根部の上脚外皮上端嵌着部と膝部の上脚外皮下端嵌着部との間にわたって嵌脱自在に掛け渡される太腿用補強連結杆とで構成され、腰部骨格は、少なくとも、左右の脚付け根部の腰部骨格連結部と回動可能に連結する脚付け根部側連結部と、胴部骨格の下端側と連結する胴部下端骨格連結部とを備えて構成され、胴部骨格は、少なくとも、腰部骨格の上端側と連結する腰部骨格連結部と、左右の腕部骨格と夫々連結する腕部骨格連結部とを備えて構成され、左右の腕部骨格は、少なくとも、前記胴部骨格の腕部骨格連結部と連結される胴部上端骨格連結部と、上腕外皮の上端開口縁が嵌着される上腕外皮上端嵌着部とを備えてなる肩部と、上腕外皮の下端開口縁が嵌着される上腕外皮下端嵌着部と、下腕外皮の上端開口縁が嵌着される下腕外皮上端嵌着部とを有し、両者の連結部にて回動可能な構造を有する肘部と、下腕外皮の下端開口縁が嵌着される下腕外皮下端嵌着部と、手部外皮の開口縁が嵌着される手部外皮嵌着部とを有し、両者の連結部にて回動可能な構造を有する手首部とを備えて構成され、首部骨格は、首部外皮の開口が挿着される首部外皮挿着部と、頭部外皮の開口縁が嵌着される頭部外皮嵌着部とで構成されて、胴部骨格の腰部骨格連結部と対峙する側に着脱可能に備えられ、この頭部外皮嵌着部は、首部外皮挿着部上端に位置すると共に、上下方向に揺動自在に備えられ、かつ常時首部外皮挿着部上端方向に引っ張り力が作用する構成とされ、左右の脚部外皮は、足部外皮と下脚外皮と上脚外皮からなり、足部外皮は、上記足首部の足部外皮嵌着部に嵌着される開口縁を、上端に設けた開口の径方向内方に突設した全体中空の足形状に形成され、下脚外皮は、上記足首部の下脚外皮下端嵌着部に嵌着される開口縁を、下端に設けた開口の径方向内方に突設すると共に、上記膝部の下脚外皮上端嵌着部に嵌着される開口縁を、上端に設けた開口の径方向内方に突設してなる全体中空筒状に形成され、足首部の下脚外皮下端嵌着部と膝部の下脚外皮上端嵌着部とにわたって掛け渡される脛用補強連結杆を内装し、上脚外皮は、上記膝部の上脚外皮下端嵌着部に嵌着される開口縁を、下端に設けた開口の径方向内方に突設すると共に、上記脚付け根部の上脚外皮上端嵌着部に嵌着される開口縁を、上端に設けた開口の径方向内方に突設してなる全体中空筒状に形成され、膝部の上脚外皮下端嵌着部と脚付け根部の上脚外皮上端嵌着部とにわたって掛け渡される太腿用補強連結杆を内装し、腰部外皮は、腰部骨格を内装する空間を有すると共に、上端に胴部外皮下端を挿入する開口を有し、かつ股間位置には、左右の脚付け根部を連結する連結空間を有する全体中空の腰部形状に形成され、胴部外皮は、胴部骨格を内装する空間を有すると共に、上端に首部骨格の首部外皮挿着部を挿入する開口を有し、かつ両肩位置には左右の腕部骨格を連結する連結空間を有する全体中空の胴部形状に形成され、左右の腕部外皮は、該左右の腕部骨格を被覆して備えられる上腕外皮，下腕外皮及び手部外皮とからなり、上腕外皮は、上記肩部の上腕外皮上端嵌着部に嵌着される開口縁を、上端に設けた開口の径方向内方に突設すると共に、上記肘部の上腕外皮下端嵌着部に嵌着される開口縁を、下端に設けた開口の径方向に突設してなる全体中空筒状に形成され、下腕外皮は、上記肘部の下腕外皮上端嵌着部に嵌着される開口縁を、上端に設けた開口の径方向内方に突設すると共に、上記手首部の下腕外皮下端嵌着部に嵌着される開口縁を、下端に設けた開口の径方向に突設してなる全体中空状に形成され、手部外皮は、上記手首部の手部外皮嵌着部に嵌着される開口縁を備えた全体中空の手形状に形成され、頭部外皮は、首部骨格の頭部外皮嵌着部に嵌着する開口縁を備えた全体頭部形状に形成されているソフトビニル製大型可動人形とする。
【０００８】
【発明の実施の形態】
以下、本発明の一実施形態を図に基づいて説明する。
図は、本発明の一実施形態を示すものであって、特に限定されるものではなく本発明の範囲内において適宜構成が追加・変更されることがある。また、本実施形態では、人間を模写した人形を代表例として説明するが、ロボットタイプ、怪獣タイプなどの種々の外観形状を有する人形に適用される。
図面は、本発明ソフトビニル製大型可動人形の骨格構造と該骨格構造を有するソフトビニル製大型可動人形の一実施形態を示す。
本実施形態のソフトビニル製大型可動人形は、複数の骨格の集合からなる人形骨格群と、これら各骨格外周に備えられる人形外皮群にて構成されている。
【０００９】
人形骨格群は、左右の脚部骨格Ａと、該左右の脚部骨格Ａに連結される腰部骨格Ｂと、該腰部骨格Ｂに連結される胴部骨格Ｃと、該胴部骨格Ｃと連結される左右の腕部骨格Ｄおよび首部骨格Ｅとで構成され、左右の脚部骨格Ａから左右の腕部骨格Ｄおよび首部骨格Ｅまでが一体に連結されている一連の骨格群である。なお、各骨格Ａ乃至Ｅの材質は、ＡＢＳ樹脂、その他の樹脂、若しくは金属製など任意に選択される。
【００１０】
左右の脚部骨格Ａは、足首部１と、膝部１５と、これら足首部１と膝部１５との間に備えられる脛用補強連結杆２９と、脚付け根部３１と、この脚付け根部３１と上記膝部１５との間に備えられる太腿用補強連結杆４２とで構成されている。
足首部１は、図３（ａ）（ｂ）に示すように、足部外皮Ｆ１の開口縁９８が嵌着される足部外皮嵌着部２と、下脚外皮Ｆ２の下端開口縁１００が嵌着される下脚外皮下端嵌着部７とを有すると共に、該両者２，７の連結部にて回動可能な構造を有し、さらに足部外皮嵌着部２の底面には、足部外皮Ｆ１内に内装されると共に、その足部外皮Ｆ１内の指先方向へと延びる足底部１２９を一体的に備えて構成されている。
図３（ａ）（ｂ）に示す本実施形態に基づいて具体的に説明すると、足部外皮嵌着部２は、足部外皮Ｆ１内に嵌入される円筒状の嵌入部３と、該嵌入部３上に周方向に連続して設けられる凹溝４を介して一体的に設けられるドーム状の連結部５で構成されており、該連結部５上端から内方に向けて連結用切欠き溝６が形成されている。
なお、この足部外皮嵌着部２の凹溝４は、足部外皮Ｆ１の開口縁９８が嵌着される嵌合凹部として作用する。
一方、下脚外皮下端嵌着部７は、下脚外皮Ｆ２内に挿入される一端を開口した中空円筒状の連結筒部８と、該筒部８の他端に備えられている連結片９で構成されている。この筒部８には、一端開口１０を介して後述する脛用補強連結杆２９を嵌合する嵌合穴１１が備えられている。
そして、下脚外皮下端嵌着部７の連結片９を、上記足部外皮嵌着部２の連結用切欠き溝６内に嵌入すると共に、ネジ１２を介して両嵌着部２，７が回動可能に連結されて一体化されている。
下脚外皮下端嵌着部７の連結筒部８の連結片側端部には、径方向に突出する周方向鍔部１３が形成されており、この鍔部１３と足部外皮嵌着部２の連結部５との間に形成される周方向凹部１４が、下脚外皮Ｆ２の下端開口縁１００が嵌着される嵌合凹部として作用する。
足底部１２９は、例えば金属若しくは樹脂などの所望な材料をもって平板状に形成され、足部外皮嵌着部２の底面にネジ１３０などを介して一体的に備えられる。このように足底部１２９を備えることで足部外皮Ｆ１の強度が強くなる。すなわち、例えば足首部１の連結部分で下脚外皮下端嵌着部７側を前方（図３（ａ）で矢印ｘ方向）へ回動作動させた場合でも、足底部１２９が人形全体の重量を支えると共に足部形状を保持するため、足部外皮が折れて人形全体が倒れてしまうという虞れもない。
なお、足底部１２９は、足部外皮嵌着部２の底面に一体的に備えられ、かつ足部外皮Ｆ１内に内装される形状（幅・長さ・厚さなど）で、その足部外皮Ｆ１内の指先方向へと延びる構成であればよく、特に限定されず本発明の範囲内で設計変更可能である。また、本実施形態ではネジ１３０が外部から見えないように、足底部１２９の裏面から足部外皮嵌着部２の底面に向けてネジ１３０を取り付けているが、ネジ１３０は、足部外皮の外底面から足部外皮嵌着部２の底面に向けて取り付けるものとしても良い。
【００１１】
足部外皮嵌着部２の嵌入部３は、本実施形態のように円筒状に限らず、足部外皮Ｆ１の開口縁９８よりも大径であれば角筒状など任意である。また、嵌合凹部（凹溝）４は、一本でも複数本でもよく、さらに、その凹部形状・幅・深さなどの諸条件も任意で、足部外皮Ｆ１の開口縁９８の構成に応じて設計変更可能である。また嵌合凹部（凹溝）４は、嵌入部３の外周に周設するものとしてもよい。上記した下脚外皮Ｆ２の下端開口縁１００が嵌着される嵌合凹部（周方向凹部）１４は、本実施形態の構造に限られるものではなく、連結筒部８の外周に周設するものとしてもよい。また、一本でも複数本でもよく、さらに、その凹部形状・幅・深さなどの諸条件も任意で、下脚外皮Ｆ２の下端開口縁１００の構成に応じて設計変更可能である。
また、下脚外皮下端嵌着部７の連結筒部８は、角筒状の嵌入部とすることもでき、嵌合穴１１も本実施形態では嵌合穴１１内で脛用補強連結杆２９が周方向に回動可能なように円筒状としているが、非回動としたい場合には角筒状などの所望な周知形状を適宜採用することができる。また、嵌合穴１１の穴径・深さなども任意で、脛用補強連結杆２９を嵌合し得る程度の構成を有していればよい。
【００１２】
また、本実施形態では、図３（ｃ）に示すように、足底部１２９と足部外皮Ｆ１との間に磁石１３３を備える構成も採用している。
本実施形態では、足底部１２９のネジ止め位置よりも前方を凹設して磁石配設空間１２９ａを形成し、この空間１２９ａに磁石１３３を嵌め込み固着している。磁石１３３は、接着剤などを介して固着されている。なお、磁石配設空間１２９ａと磁石１３３とが嵌合構造を有しており、その構造により嵌着されるものや、磁石１３３が磁石配設空間１２９ａに螺合し得る構造を有しているもの等であれば接着剤を使用しなくとも良い。磁石１３３の形状は特に限定されず任意で、また磁石配設空間１２９ａの形状も磁石１３３を配設し得る空間を有していれば良く、本発明の範囲内で設計変更可能である。この磁石配設空間１２９ａは、足底部１２９の裏面に穴状または溝状に設けることができる。
本実施形態では、磁石１３３の露呈している面と足底部１２９の底面とが面一となるように構成しているが限定はされず、磁石１３３の磁力を損なわない程度であれば埋没状に構成してもよく、また、足部外皮の底面が極端に凸状とならなければ足底部１２９の底面よりも突出して構成されているものであっても良い。磁石１３３は片足に一つとは限らず、複数個備えることも可能で本発明の範囲内である。
このように、足底部１２９と足部外皮Ｆ１との間に磁石１３３を配設しているため、外部から磁石１３３が見えず、人形全体の美観を損ねることもない。
本実施形態によれば、人形の膝部を曲げたり、腰部を曲げたりして需要者が思い思いの姿勢を人形に取らせた場合でも、設置場所（人形を飾る場所）などに鉄板などが配置されていれば、足底に備えた磁石１３３の磁力により固着されるため、自由なポーズを取らせることができる。
【００１３】
膝部１５は、図４（ａ）乃至（ｃ）に示すように、下脚外皮Ｆ２の上端開口縁１０２が嵌着される下脚外皮上端嵌着部１６と、上脚外皮Ｆ３の下端開口縁１０４が嵌着される上脚外皮下端嵌着部１７とを有し、両者１６，１７の連結部にて回動可能な構造を有する。
図４（ａ）乃至（ｃ）に示す本実施形態に基づいて具体的に説明すると、下脚外皮上端嵌着部１６および上脚外皮下端嵌着部１７は、夫々下脚外皮Ｆ２内または上脚外皮Ｆ３内に挿入される一端を開口した中空円筒状の連結筒部１８と、該筒部１８上から断面視反台形状に延設された嵌入部１９と、該嵌入部１９端縁から段部２０を介して立上げ形成される二片の連結片２１，２１で構成された連結部２２とからなる同一形状のものである。
この夫々の嵌入部１９端縁と連結部２２との間に存する段部２０は、周方向に連続して設けられる凹溝２３となり、この凹溝２３，２３は夫々が下脚外皮Ｆ２の上端開口縁１０２または上脚外皮Ｆ３の下端開口縁１０４が嵌着される嵌合凹部として作用する。
上記夫々の嵌入部１８，１８には、一端開口２４，２４を介して後述する脛用補強連結杆２９または太腿用補強連結杆４２を嵌合する嵌合穴２５，２５が備えられている。
そして、これら下脚外皮上端嵌着部１６と上脚外皮下端嵌着部１７の夫々の連結部２２を構成している二片の連結片２１，２１間には、膝頭部２６の裏面両端に備えられている被連結部２７，２７が夫々嵌入されると共に、ネジ２８を介して両嵌着部１６，１７が回動可能に連結されて一体化されている。したがって、本実施形態によれば、このように下脚外皮上端嵌着部１６と上脚外皮下端嵌着部１７の夫々の連結部２２が、膝頭部２６の裏面に設けられている夫々の被連結部２７に夫々連結される構成としたため、下脚外皮上端嵌着部１６と上脚外皮下端嵌着部１７が夫々自由に回動作動がなし得る。
【００１４】
下脚外皮上端嵌着部１６および上脚外皮下端嵌着部１７の連結筒部１８は、本実施形態のように円筒状に限らず角筒状など任意である。また、嵌合凹部（凹溝）２３は、一本でも複数本でもよく、さらに、その凹部形状・幅・深さなどの諸条件も任意で、下脚外皮Ｆ２の上端開口縁１０２または上脚外皮Ｆ３の下端開口縁１０４の構成に応じて設計変更可能である。
上記した嵌合凹部（凹溝）２３は、本実施形態の構造に限られるものではなく、嵌入部１９の外周に周設するものとしてもよい。
また、嵌合穴２５は本実施形態では嵌合穴２５内で脛用補強連結杆２９および太腿補強連結杆４２が周方向に夫々回動可能なように円筒状としているが、非回動としたい場合には角筒状などの所望な周知形状を適宜採用することができる。また、嵌合穴２５の穴径・深さなども任意で、脛用補強連結杆２９および太腿補強連結杆４２を嵌合し得る程度の構成を有していればよい。膝頭部２６の構造も本実施形態に限られるものではなく、本発明の範囲内で設計変更可能である。
【００１５】
脛用補強連結杆２９は、図１，図２に示すように、足首部１の下脚外皮下端嵌着部７の嵌合穴１１と、膝部１５の下脚外皮上端嵌着部１６の嵌合穴２５に、夫々の端部３０が嵌脱自在に嵌合される長尺棒状（本実施形態では断面円形の丸棒状）に形成されており、両端３０，３０嵌合状態で、足首部１の下脚外皮下端嵌着部７と、膝部１５の下脚外皮上端嵌着部１６との間で連結状に掛け渡される。この脛用補強連結杆２９は、足首部１の下脚外皮下端嵌着部７の嵌合穴１１と、膝部１５の下脚外皮上端嵌着部１６の嵌合穴２５に、両端３０，３０が夫々嵌合されて両嵌着部７，１６間にわたって掛け渡される構造であれば特に限定されるものではなく任意である。本実施形態では、所望長さ・所望径の断面円形の丸棒状に形成されているが、その外形・長さ・端部の形状などは任意で適宜設計変更される。また、この脛用補強連結杆２９は、中実でも中空（両端開口又は非開口のいずれも含む）であってもよい。
【００１６】
脚付け根部３１は、図５（ａ）（ｂ）に示すように、上脚外皮Ｆ３の上端開口縁１０６が嵌着される上脚外皮上端嵌着部３２と、腰部骨格Ｂの脚付け根部側連結部４４を連結する腰部骨格連結部３７を有する。
図５（ａ）（ｂ）に示す本実施形態に基づいて具体的に説明すると、上脚外皮上端嵌着部３２は、上脚外皮Ｆ３内に挿入される一端を開口した中空円筒状の連結筒部３３と、該筒部３３上から断面視反台形状に延設された嵌入部３４で構成されている。
腰部骨格連結部３７は、上記嵌入部３４端縁から段部３５を介して立上げ形成される玉状部３６と、該玉状部３６の一部に設けた切り欠き３６ａを介して一端が挿入されると共に、回動可能に連結される腰部骨格連結杆３８とで構成されている。
この嵌入部３４端縁と腰部骨格連結部３７との間に存する段部３５は、周方向に連続して設けられる凹溝３９となり、この凹溝３９は上脚外皮Ｆ３の上端開口縁１０６が嵌着される嵌合凹部として作用する。
上記連結筒部３３には、一端開口４０を介して後述する太腿用補強連結杆４２を嵌合する嵌合穴４１が備えられている。
連結筒部３３は、本実施形態のように円筒状に限らず、角筒状など任意である。また、嵌合凹部（凹溝）３９は、一本でも複数本でもよく、さらに、その凹部形状・幅・深さなどの諸条件も任意で、上脚外皮Ｆ３の上端開口縁１０６の構成に応じて設計変更可能である。
上記した嵌合凹部（凹溝）３９は、本実施形態の構造に限られるものではなく、嵌入部３４の外周に周設するものとしてもよい。
また、嵌合穴４１は本実施形態では嵌合穴４１内で太腿用補強連結杆４２が周方向に回動可能なように円筒状としているが、非回動としたい場合には角筒状などの所望な周知形状を適宜採用することができる。また、嵌合穴４１の穴径・深さなども任意で、太腿用補強連結杆４２を嵌合し得る程度の構成を有していればよい。
【００１７】
太腿用補強連結杆４２は、図１，図２に示すように、脚付け根部３１の上脚外皮上端嵌着部３２の嵌合穴４１と、膝部１５の上脚外皮下端嵌着部１７の嵌合穴２５に、夫々の端部４３，４３が嵌脱自在に嵌合される長尺棒状（本実施形態では断面円形状の丸棒状）に形成されており、両端４３，４３嵌合状態で、脚付け根部３１の上脚外皮上端嵌着部３２と膝部１５の上脚外皮下端嵌着部１７との間で連結状に掛け渡される。
この太腿用補強連結杆４２は、脚付け根部３１の上脚外皮上端嵌着部３２の嵌合穴４１と、膝部１５の上脚外皮下端嵌着部１７の嵌合穴２５に、両端４３，４３が夫々嵌合されて両嵌着部１７，３２間にわたって掛け渡される構造であれば特に限定されるものではなく任意である。本実施形態では、所望長さ・所望径の断面円形の丸棒状に形成されているが、その外形・長さ・端部の形状などは任意で適宜設計変更される。また、この太腿用補強連結杆４２は、中実でも中空（両端開口又は非開口のいずれも含む）であってもよい。
【００１８】
腰部骨格Ｂは、図６（ａ）（ｂ）に示すように、少なくとも、左右の脚付け根部３１，３１の腰部骨格連結部３７と回動可能に連結する脚付け根部側連結部４４と、胴部骨格Ｃの下端側と連結する胴部下端骨格連結部４６とを備えて構成されている。
図６（ａ）（ｂ）に示す本実施形態に基づいて具体的に説明すると、腰部外皮Ｇの腰部骨格内装空間１０７に固定される本体４５と、該本体４５から水平方向両側に延びる脚付け根部側連結部４４と、該本体４５から上方に延びる胴部下端骨格連結部４６とで構成されている。この胴部下端骨格連結部４６は、一端を開口した中空筒状に形成され、該開口４７を介して胴部下端の骨格を嵌合する嵌合穴４８を設けている。
そして、脚付け根部側連結部４４の中空筒部に上記脚付け根部３１の腰部骨格連結部３７の腰部骨格連結杆３８を嵌入して回動可能に連結すると共に、胴部下端骨格連結部４６の嵌合穴４８に胴部下端の骨格を嵌合して連結する。
なお、本実施形態の腰部骨格Ｂは本発明の一実施形態にすぎず限定解釈されるものではない。
【００１９】
胴部骨格Ｃは、図７および図８に示すように、後述する腹部外皮Ｈ２内に内装される腹骨格部Ｃ１（図８）と胸部外皮Ｈ３内に内装される胸骨格部Ｃ２（図７）の二部構成からなり、少なくとも、腰部骨格Ｂの上端側と連結する腰部骨格連結部５１と、左右の腕部骨格Ｄと夫々連結する腕部骨格連結部５８とを備えて構成されている。
また、本実施形態では、胴部骨格Ｃの腰部骨格連結部５１と対峙する側、すなわち胸骨格部Ｃ２の上端側に首部骨格Ｅを一体的に連結する首部骨格連結部１３１を備えている。
図７又は図８の本実施形態に基づいて具体的に説明すると、図８（ａ）（ｂ）に示す腹骨格部Ｃ１は、両端に設けた夫々の第一玉部（図面上で下側）５２と第二玉部（図面上で上側）５３を、夫々回動可能に嵌め込んだ断面視略Ｕ字状の腰部骨格連結部５１と胸部骨格連結部５６からなり、該腰部骨格連結部５１と胸部骨格連結部５６の夫々の端部には、第一嵌入杆５４と第二嵌入杆５５が夫々一体的に立設されている。
また、特に限定されはしないが、本実施形態において、第一玉部５２と第二玉部５３を嵌め込む夫々の嵌め込み部５１ａ・５１ａと５６ａ・５６ａは、各第一玉部５２と第二玉部５３を嵌め込んだ時に、腰部骨格連結部５１および胸部骨格連結部５６が所望位置でその状態（例えば、左右いずれかの方向に所望角度をもって傾斜している状態）を維持できるように、各第一玉部５２と第二玉部５３が夫々緊密に摺接するよう構成するのが好ましい。このとき、嵌め込み部５１ａ・５１ａと５６ａ・５６ａは、夫々の曲面の曲率が各第一玉部５２と第二玉部５３の曲率と同一若しくは近似するものとする。なお、嵌め込み部５１ａ・５１ａと５６ａ・５６ａは本実施形態に限定して解釈されるものではなく、本発明の範囲内で適宜設計変更可能である。
そして、この第一嵌入杆５４が、腰部骨格Ｂの胴部下端骨格連結部４６の嵌合穴４８に嵌合連結され、第二嵌入杆５５が、胸骨格部Ｃ２に連結される。
図７（ａ）（ｂ）に示す胸骨格部Ｃ２は、下方向に開口する中空筒状の嵌合穴５７を備えると共に、水平方向両側に左右の腕部骨格Ｄと夫々連結する腕部骨格連結部５８を備えている。
腕部骨格連結部５８は、夫々一端開口した中空筒状に形成されると共に、腕部骨格連結穴５８ａを備え、該連結穴５８ａ後述する左右の腕部骨格Ｄの胴部上端骨格連結部６０を嵌合連結する。
なお、本実施形態では、胴部骨格Ｃを、腹骨格部Ｃ１と胸骨格部Ｃ２の二部構成とし、かつ腰部骨格Ｂと腹骨格部Ｃ１との連結部およびこの腹骨格部Ｃ１と胸骨格部Ｃ２との連結部を夫々玉５２，５３を介して回動可能な構造としたため、腰位置から胸位置までの動きが微調整でき、上半身の様々かつ細かい動きが表現できる。すなわち、本実施形態の腹骨格部Ｃ１構成を採用したことで、腰部骨格連結部５１と胸部骨格連結部５６は、夫々が前後左右に回動可能（図８中、矢印Ｙ１乃至Ｙ４で示す前後方向、矢印Ｙ５乃至Ｙ８で示す左右方向）で、かつ夫々が水平方向にも所望範囲で移動（図８中、矢印Ｚ１乃至Ｚ４に示す水平方向）することができるため、人形の胴体部分の様々な動きが表現でき、色々な姿勢のバリエーションが楽しめる。
なお、本実施形態の胴部骨格Ｃは本発明の一実施形態にすぎず限定解釈されるものではない。
【００２０】
首部骨格連結部１３１は、図７に示すように、胸骨格部Ｃ２の上端側にて回動可能（図７中、矢印Ｙ９，Ｙ１０で示す方向）に一体的に備えられており、首部骨格Ｅの首部外皮挿着部８９から垂設されている嵌合杆８９ｃの内部空間に嵌り合う外径を有している。図中１３２は、嵌合杆８９ｃの端面を受ける受け部である。なお、本実施形態では、首部骨格連結部１３１を、首部骨格Ｅの嵌合杆８９ｃに嵌めて一体化する一形態を採用したが、首部骨格連結部１３１に頂面を開口した嵌合穴（図示せず）を形成し、該嵌合穴に嵌合杆を嵌め合うことで一体化する形態を採用してもよく、既知の方法で首部骨格連結部１３１と首部骨格Ｅを連結して一体化する形態であれば本発明の範囲内において設計変更可能である。
【００２１】
首部骨格Ｅは、例えば、図９に示すように、胴部外皮Ｈに一体に設けられている首部外皮Ｈ５の開口１１１から挿入される円筒状の首部外皮挿着部８９と、頭部外皮Ｋの開口縁１２８が嵌着される頭部外皮嵌着部９１とで構成され、この頭部外皮嵌着部９１は、首部外皮挿着部８９上端に位置すると共に、上下方向（図９中で、矢印Ｗ方向）に揺動自在に備えられ、かつ常時首部外皮挿着部８９上端方向に引っ張り力が作用する構成とする。また、首部外皮挿着部８９にはその下面に垂設した円筒状の嵌合杆８９ｃが設けられている。
図９の本実施形態に基づいて具体的に説明すると、首部外皮挿着部８９は、首部外皮Ｈ５の開口１１１よりも小径に形成された円筒状で、その軸方向中心には頭部外皮嵌着部９１の連結杆９２を遊嵌する挿入穴９０を備え、一方頭部外皮嵌着部９１は、頭部外皮Ｋの開口縁１２８よりも大径に形成された円錐台状に形成されると共に、その下面９１ａ中心から垂設された連結杆９２を備えている。
そして、頭部外皮嵌着部９１の連結杆９２を、首部外皮挿着部８９の挿入穴９０に遊嵌し、コイルスプリング９３の一端を首部外皮挿着部８９の内面段部８９ｂに係止すると共に、止め具９４を介してネジ９５で連結杆９２の下端にネジ止めする。これにより、頭部外皮嵌着部９１は、首部外皮挿着部８９上端にて一体的に位置すると共に、スプリング９３を介して上下方向Ｗに揺動自在に備えられ、かつ常時首部外皮挿着部８９上端方向に引っ張り力が作用する。また、との間に形成される段部９６は、頭部外皮Ｋの下端に形成されている開口縁１２８が嵌着される嵌合凹部として作用する。
なお、本実施形態では、例えば押し込み嵌入時の挿入性を良くするために頭部外皮嵌着部９１を円錐台状に形成するが、これに限定解釈されるものではなく、頭部外皮Ｋの開口縁１２８に押し込み嵌入可能な形状であればよい。また、その他の本実施形態の構造も本発明の一実施形態に過ぎず何ら限定解釈されない。また、本実施形態では、首部外皮挿着部８９の上端方向へと頭部外皮嵌着部９１を引っ張り作用する構成としてスプリング９３を用いているが、首部外皮挿着部８９の上端方向へと頭部外皮嵌着部９１を引っ張り作用する構成であれば適宜設計変更可能で、例えばゴム紐などを掛け渡し、首部外皮挿着部８９の上端方向へと頭部外皮嵌着部９１を引っ張り作用する構成などを採用することも可能である。
【００２２】
左右の腕部骨格Ｄは、図１０乃至図１２に示すように、胴部外皮Ｈと上腕外皮Ｊ１の上端を連結する肩部５９と、該上腕外皮Ｊ１の下端と下腕外皮Ｊ２の上端を連結する肘部６８と、該下腕外皮Ｊ２の下端と手部外皮Ｊ３を連結する手首部７８とで構成されている。
【００２３】
肩部５９は、図１０に示すように、前記胴部骨格Ｃの腕部骨格連結穴５８ａと連結される胴部上端骨格連結部６０と、上腕外皮Ｊ１の上端開口縁１１９が嵌着される上腕外皮上端嵌着部６２とを備えてなる。
胴部上端骨格連結部６０は、前記胴部骨格Ｃの腕部骨格連結穴５８ａ内に嵌入可能な径を有する所望長さの丸棒状に形成されると共に、その反嵌入側には円板状の連結片６１が延設されている。一方、上腕外皮上端嵌着部６２は、円錐台状の嵌入部６３が形成されると共に、この嵌入部６３から段部６４を介して中央に上記連結片６１を嵌入可能な嵌入溝６５を備えた略玉状の被連結部６６が一体的に形成されている。
そして、上記連結片６１を嵌入溝６５に嵌入すると共に、ネジ６７を介して回動可能に一体的に連結される。なお、本実施形態において、上記連結片６１は、略玉状の被連結部６６の径と同径とし、連結時に両者６１，６６によって全体玉状を構成している。
また、上記段部６４は、上腕外皮Ｊ１の上端開口縁１１９が嵌着される嵌合凹部として作用する。
上記嵌入部６３は、上腕外皮Ｊ１の上端開口縁１１９から押し込んで上腕外皮  Ｊ１内に嵌入可能な径を有する形状であれば特に限定されるものではない。
また、嵌合凹部（段部）６４は、本実施形態の構造に限られるものではなく、例えば嵌入部６３の外周に所望溝形状をもって周設するものとしてもよい。
嵌合凹部（段部）６４は、一本でも複数本でもよく、さらに、その凹部形状・幅・深さなどの諸条件も任意で、上腕外皮Ｊ１の上端開口縁１１９の構成に応じて設計変更可能である。
なお、嵌入部６３は、本実施形態のように円錐台状に限らず任意形状が適宜本発明の範囲内で採用される。
【００２４】
肘部６８は、図１１に示すように、上腕外皮Ｊ１の下端開口縁１２１が嵌着される上腕外皮下端嵌着部６９と、下腕外皮Ｊ２の上端開口縁１２３が嵌着される下腕外皮上端嵌着部７０とを有し、両者６９，７０の連結部にて回動可能な構造を有する。
本実施形態に基づいて具体的に説明すると、上腕外皮下端嵌着部６９および下腕外皮上端嵌着部７０は、夫々上腕外皮Ｊ１内または下腕外皮Ｊ２内に嵌入される円錐台状の嵌入部７１と、該嵌入部７１端縁から段部７２を介して立上げ形成される二片の連結片７３，７３で構成された連結部７４とからなる同一形状のものである。
この夫々の嵌入部７１端縁と連結部７４との間にて周方向に連続して存する段部７２は、夫々が上腕外皮Ｊ１の下端開口縁１２１または下腕外皮Ｊ２の上端開口縁１２３が嵌着される嵌合凹部として作用する。
そして、これら上腕外皮下端嵌着部６９と下腕外皮上端嵌着部７０の夫々の連結部７４を構成している二片の連結片７３，７３間には、肘頭部７５の裏面両端に備えられている被連結部７６，７６が夫々嵌入されると共に、ネジ７７を介して両嵌着部６９，７０が回動可能に連結されて一体化されている。したがって、本実施形態によれば、このように上腕外皮下端嵌着部６９と下腕外皮上端嵌着部７０の夫々の連結部７４が、肘頭部７５の裏面に設けられている夫々の被連結部７６に夫々連結される構成としたため、上腕外皮下端嵌着部６９と下腕外皮上端嵌着部７０が夫々自由に回動作動がなし得る。
上腕外皮下端嵌着部６９および下腕外皮上端嵌着部７０の嵌入部７１は、本実施形態のように円錐台状に限らず任意である。
上記した嵌合凹部（段部）７２は、本実施形態の構造に限られるものではなく、嵌入部７１の外周に周設するものとしてもよい。この場合において、嵌合凹部（段部）７２は、一本でも複数本でもよく、さらに、その凹部形状・幅・深さなどの諸条件も任意で、上腕外皮Ｊ１の下端開口縁１２１または下腕外皮Ｊ２の上端開口縁１２３の構成に応じて設計変更可能である。
また、肘頭部７５の構造も本実施形態に限られるものではなく、本発明の範囲内で設計変更可能である。
【００２５】
手首部７８は、図１２に示すように、下腕外皮Ｊ２の下端開口縁１２５が嵌着される下腕外皮下端嵌着部７９と、手部外皮Ｊ３の開口縁１２７が嵌着される手部外皮嵌着部８２とを有し、両者７９，８２の連結部にて回動可能な構造を有する。
下腕外皮下端嵌着部７９は、下腕外皮Ｊ２内に嵌入可能な径を有する円錐台状に嵌入部８０が形成されると共に、この嵌入部８０から段部８８を介して略玉状の被連結部８６が一体的に形成されている。この被連結部８６には、後述する連結片８１を嵌入可能とした嵌入溝８５を中央に備えている。
一方、手部外皮嵌着部８２は、手部外皮Ｊ３内に嵌入可能な径を有する円錐台状の嵌入部８３が形成されると共に、その反嵌入側には上記嵌入溝８５に嵌入可能な円板状の連結片８１が延設されている。なお、本実施形態では連結片８１の一端が、嵌入部８３の反嵌入側に嵌合されているが、連結片８１と嵌入部８３が一体成形されているものであってもよく限定されない。
そして、上記連結片８１を、被連結部８６の嵌入溝８５に嵌入すると共に、ネジ８７を介して回動可能に一体的に連結される。なお、本実施形態において、上記連結片８１は略玉状の被連結部８６の径と同径とし、連結時に両者８１，８６によって全体玉状を構成している。
また、上記段部８８は、下腕外皮Ｊ２の下端開口縁１２５が嵌着される嵌合凹部とし、そして上記段部８４は、手部外皮Ｊ３の開口縁１２７が嵌着される嵌合凹部として作用する。
上記嵌入部８０，８３は、下腕外皮Ｊ２の下端開口縁１２５または手部外皮Ｊ３の開口縁１２７から押し込んで、下腕外皮Ｊ２内または手部外皮Ｊ３内に嵌入可能な径を有する形状であれば特に限定されるものではない。
また、嵌合凹部（段部）８４，８８は、本実施形態の構造に限られるものではなく、例えば夫々の嵌入部８０，８３の外周に所望溝形状をもって周設するものとしてもよい。この場合、嵌合凹部（段部）８４，８８は、一本でも複数本でもよく、さらに、その凹部形状・幅・深さなどの諸条件も任意で、下腕外皮Ｊ２の下端開口縁１２５・手部外皮Ｊ３の開口縁１２７の構成に応じて設計変更可能である。
なお、嵌入部８０，８３は、本実施形態のように円錐台状に限らず任意形状が適宜本発明の範囲内で採用される。
【００２６】
また、本実施形態では採用していないが、上記肩部５９の上腕外皮上端嵌着部６２と肘部６８の上腕外皮下端嵌着部６９との間にわたって、所望長さの上腕用補強連結杆（図示せず）が嵌脱自在に掛け渡され、肘部６８の下腕外皮上端嵌着部７０と手首部７８の下腕外皮下端嵌着部７９との間にわたって、所望長さの下腕用補強連結杆（図示せず）が嵌脱自在に掛け渡されている骨格構造としてもよい。これら補強連結杆は、上述した脛用または太腿用の補強連結杆２９，４２と同等の構成である。その嵌合連結構成も上述した脛用または太腿用の補強連結杆２９，４２の嵌合連結構成を採用できる。
【００２７】
次に、上述した人形骨格群に取り付けられるソフトビニル製の人形外皮群の一実施形態を図に基づいて説明する。
ソフトビニル製の人形外皮群は、上記夫々の骨格外周に備えられる左右の脚部外皮Ｆと、腰部外皮Ｇと、胴部外皮Ｈと、腕部外皮Ｊと、頭部外皮Ｋとで構成されており、夫々の外皮は例えばスラッシュ成形により形成されている。
本実施形態では、夫々の外皮表面が無模様・無色彩で、顔表情なども省略した形態としているが、所望な模様・色彩や、目・鼻・口などを備えた形態とすることも可能なことはいうまでもない。
【００２８】
左右の脚部外皮Ｆは、足部外皮Ｆ１と下脚外皮Ｆ２と上脚外皮Ｆ３からなり、足部外皮Ｆ１は、上端に設けた開口９７の径方向内方に、上記足首部１の足部外皮嵌着部２の嵌合凹部（凹溝）４に嵌着される開口縁９８を突設した全体中空の足形状に形成されている。足形状は図示形状に限定されず任意に変更可能である。
【００２９】
下脚外皮Ｆ２は、図１乃至図４に示すように、下端に設けた開口９９の径方向内方に、上記足首部１の下脚外皮下端嵌着部７の嵌合凹部（周方向凹部）１４に嵌着される開口縁１００を突設すると共に、上端に設けた開口１０１の径方向内方に、上記膝部１５の下脚外皮上端嵌着部１６の嵌合凹部（凹溝）２３に嵌着される開口縁１０２を突設してなる全体中空筒状に形成され、足首部１の下脚外皮下端嵌着部７と膝部１５の下脚外皮上端嵌着部１６とにわたって掛け渡される脛用補強連結杆２９を内装する。この下脚外皮Ｆ２は、特に限定されないが、好ましくは人間の踝位置から膝下位置までの外観形状を忠実に模写した外観形状とするのがよい。
【００３０】
上脚外皮Ｆ３は、図１，図２，図４，図５に示すように、下端に設けた開口１０３の径方向内方に、上記膝部１５の上脚外皮下端嵌着部１７の嵌合凹部（凹溝）２３に嵌着される開口縁１０４を突設すると共に、上端に設けた開口１０５の径方向内方に、上記脚付け根部３１の上脚外皮上端嵌着部３２嵌合凹部（凹溝）３９に嵌着される開口縁１０６を突設してなる全体中空筒状に形成され、膝部１５の上脚外皮下端嵌着部１７と脚付け根部３１の上脚外皮上端嵌着部３２とにわたって掛け渡される太腿用補強連結杆４２を内装する。
この上脚外皮Ｆ３は、特に限定されないが、好ましくは人間の膝上位置から脚付け根位置までの外観形状（いわゆる太腿外観形状）を忠実に模写した外観形状とするのがよい。
【００３１】
腰部外皮Ｇは、図１，図２に示すように、腰部骨格Ｂを内装する空間１０７を有すると共に、上端に胴部外皮Ｈの下端Ｈ１を挿入する開口１０８を有し、かつ股間位置左右には、左右の脚付け根部３１を連結する連結空間１０９を有する全体中空の腰部形状に形成されている。この腰部外皮は、特に限定されないが、好ましくは人間の腰部分の外観形状を忠実に模写した外観形状とするのがよい。
【００３２】
胴部外皮Ｈは、図１，図２に示すように、胴部骨格Ｃを内装する空間１１０を有すると共に、上端に首部骨格Ｅの首部外皮挿着部８９を挿着する開口１１１を有し、かつ両肩位置には左右の腕部骨格Ｄを連結する連結空間１１２を有する全体中空の胴部形状に形成されている。また、本実施形態では、この胴部外皮Ｈを、腹部外皮Ｈ２と胸部外皮Ｈ３の二部構成としている。
腹部外皮Ｈ２は、上下端を開口した内部中空状で、かつ所望な外観形状とし、腹骨格部Ｃ１の第一嵌入杆５４を下端開口１１３から突出させると共に、第二嵌入杆５６を上端開口１１４から突出させた状態でその中空部１１５に腹骨格部Ｃ１を内装する。
また、この腹部外皮Ｈ２は、下端Ｈ１を腰部外皮Ｇ内に挿入すると共に、上端Ｈ４を胸部外皮Ｈ３内に挿入している。
一方、胸部外皮Ｈ３は、図１，図２に示すように、首部骨格Ｅの首部外皮挿着部８９を嵌入する首部外皮Ｈ５が、上端に一体的に形成されると共に、下端Ｈ６を開口した内部中空状で、かつ所望な外観形状とし、その中空部１１６に胸骨格部Ｃ２を内装し、腹部外皮Ｈ２の上端Ｈ４を下端開口１１７から挿入する。左右の腕部骨格連結部５８は、夫々連結空間１１２に位置する。
この腹部外皮Ｈ２と胸部外皮Ｈ３の外観形状は特に限定されないが、好ましくは人間の腹部分と胸より上の部分に対応する形状を忠実に模写した外観形状とするのがよい。
【００３３】
左右の腕部外皮Ｊは、図１，図２，図１０乃至図１２に示すように、左右の腕部骨格Ｄを被覆して備えられる上腕外皮Ｊ１，下腕外皮Ｊ２及び手部外皮Ｊ３とからなる。
上腕外皮Ｊ１は、図１，図２，図１０，図１１に示すように、上端に設けた開口１１８の径方向内方に、上記肩部５９の上腕外皮上端嵌着部６２の嵌合凹部（段部）６４に嵌着される開口縁１１９を突設すると共に、下端に設けた開口１２０の径方向に、上記肘部６８の上腕外皮下端嵌着部６９の嵌合凹部（段部）７２に嵌着される開口縁１２１を突設してなる全体中空筒状に形成されている。この上腕外皮Ｊ１は、特に限定されないが、好ましくは人間の肩下位置から肘上位置までの外観形状を忠実に模写した外観形状とするのがよい。
【００３４】
下腕外皮Ｊ２は、図１，図２，図１１，図１２に示すように、上端に設けた開口１２２の径方向内方に、上記肘部６８の下腕外皮上端嵌着部７０の嵌合凹部（段部）７２に嵌着される開口縁１２３を突設すると共に、下端に設けた開口１２４の径方向に、上記手首部７８の下腕外皮下端嵌着部７９の嵌合凹部（段部）８８に嵌着される開口縁１２５を突設してなる全体中空筒状に形成されている。この下腕外皮Ｊ２は、特に限定されないが、好ましくは人間の肘下位置から手首位置までの外観形状を忠実に模写した外観形状とするのがよい。
【００３５】
手部外皮Ｊ３は、図１，図２，図１２に示すように、開口１２６の径方向内方に、上記手首部７８の手部外皮嵌着部８２の嵌合凹部（段部）８４に嵌着される開口縁１２７を突設した全体中空の手形状に形成されている。この手部外皮Ｊ３は、特に限定されないが、好ましくは人間の手の外観形状を忠実に模写した外観形状とするのがよい。
【００３６】
頭部外皮Ｋは、図１，図２に示すように、上記胴部外皮Ｈの首部外皮Ｈ５に挿着されて備えられる首部骨格Ｅの頭部外皮嵌着部９１と首部外皮挿着部８９との間の嵌合凹部９６に嵌着する開口縁１２８を設けて、所望な頭部形状に形成されている。
なお、頭部とは、顔部分も含む概念とする。開口縁１２８の内径は、頭部外皮嵌着部９１の下面９１ａの径と首部外皮挿着部８９の上面８９ａの径よりも小径で、この頭部外皮嵌着部９１を押し込み挿入可能な径とする。
【００３７】
【発明の効果】
本発明は上述の通りの構成としたため、自立が可能で技術的構造を有すると共に、軽量・コスト安価な大型の人形を提供することができ、需要者ニーズに十分応えることができる。
すなわち、本発明特有の骨格構造を採用したことで、大型の人形において外皮部分をソフトビニル製で構成しても、自立が可能で、かつ様々な姿態を一定時間維持できると共に、軽量でかつ軟質なため、落下・転倒などしても安全で、破損も防げる。
また、例えば足首部の下脚外皮下端嵌着部と膝部の下脚外皮上端嵌着部との間にわたって嵌脱自在に掛け渡される脛用補強連結杆や、脚付け根部の上脚外皮上端嵌着部と膝部の上脚外皮下端嵌着部との間にわたって嵌脱自在に掛け渡される太腿用補強連結杆などの骨格部分を交換してその長さを変更することにより、簡単に脚部長さなどの変更に対応できる。例えば、脛用補強連結杆や太腿用補強連結杆などの骨格にあっては、その径が同一で長さのみ異なるタイプのものを複数種用意しておけば、足首部の下脚外皮下端嵌着部および膝部の下脚外皮上端嵌着部、または脚付け根部の上脚外皮上端嵌着部と膝部の上脚外皮下端嵌着部などの骨格はそのまま使用できるため、脚部等の長さの異なる人形が容易かつ安価に提供できる。
さらに、外皮がソフトビニル製であるため製作容易（スラッシュ成形など）で、かつコスト安価なため、このような脚部長さなどの変更においても大変安価で、この種の大型可動人形の製作上大幅なコスト減となる。
また、この種の従来の大型人形が高価なのに対し、本発明では、夫々の骨格が着脱可能で、かつ夫々の外皮も着脱可能であるため、搬送費用低廉となり、結果的に製品価格も低く抑えることができるため需要者ニーズに応えることができる。さらに、パーツ・キット販売などにも対応でき大変新規有用である。また、組み立ても、ネジ止めなどに使用するドライバーなどの治具と、外皮嵌着時に、外皮を暖めて柔らかくする道具、例えばヘアドライヤーなどがあれば誰でも簡単かつスピーディーに組み立て・分解が成し得る。
【図面の簡単な説明】
【図１】本発明の一実施形態を一部切欠いて示す全体概略正面図。
【図２】本発明の一実施形態を一部省略して示す全体概略側面図。
【図３】脚部骨格の足首部の一実施形態を示す概略図で、（ａ）は側面図、（ｂ）は正面図、（ｃ）は脚部骨格の足首部の他の実施形態を示す概略側面図。
【図４】脚部骨格の膝部の一実施形態を示す概略図で、（ａ）は正面図、（ｂ）は背面図、（ｃ）は側面図。
【図５】脚部骨格の脚付け根部の一実施形態を示す概略図で、（ａ）は側面図、（ｂ）は縦断正面図。
【図６】腰部骨格の一実施形態を示す概略図で、（ａ）は正面図、（ｂ）は側面図。
【図７】胴部骨格のうちの胸骨格部の一実施形態を示す概略図で、（ａ）は正面図、（ｂ）は側面図。
【図８】胴部骨格のうちの腹骨格部の一実施形態を示す概略図で、（ａ）は正面図、（ｂ）は側面図。
【図９】首部骨格の一実施形態を示す概略分解図。
【図１０】腕部骨格のうちの肩部の一実施形態を示す概略図で、（ａ）は側面図、（ｂ）は正面図。
【図１１】腕部骨格のうちの肘部の一実施形態を示す概略図で、（ａ）は正面図、（ｂ）は側面図、（ｃ）は背面図。
【図１２】腕部骨格のうちの手首部の一実施形態を示す概略図で、（ａ）は側面図、（ｂ）は正面図。
【図１３】従来技術の大型可動人形における正面図。
【符号の説明】
Ａ：脚部骨格
１：足首部
１５：膝部
２９：脛用補強連結杆
３１：脚付け根部
４２：太腿用補強連結杆
Ｂ：腰部骨格
Ｃ：胴部骨格
Ｄ：腕部骨格
５９：肩部
６８：肘部
７８：手首部
Ｅ：首部骨格
Ｆ：脚部外皮
Ｇ：腰部外皮
Ｈ：胴部外皮
Ｊ：腕部外皮
Ｋ：頭部外皮
【図１】
2004222935.tif 000003
【図２】
2004222935.tif 000004
【図３】
2004222935.tif 000005
【図４】
2004222935.tif 000006
【図５】
2004222935.tif 000007
【図６】
2004222935.tif 000008
【図７】
2004222935.tif 000009
【図８】
2004222935.tif 000010
【図９】
2004222935.tif 000011
【図１０】
2004222935.tif 000012
【図１１】
2004222935.tif 000013
【図１２】
2004222935.tif 000014
【図１３】
2004222935.tif 000015